(57)【要約】【課題】処理時間とインターリーブバッファのバッファサイズを増大させることなく、短い時間から長い時間までインターリーブ長を設定可能とする時間インターリーブ処理を可能とするＯＦＤＭ伝送方式の送信装置及び受信装置を提供する。【解決手段】本発明の送信装置１０は、それぞれ伝送データについて最大の時間インターリーブ長を指定インターリーブ長として制限し、セル長の値に相当するシンボル数で、ＯＦＤＭ変調のキャリアを時間軸上で分散させるよう畳込みインターリーブ処理を行うリミット付き畳込み時間インターリーバ１３を備える。本発明の受信装置２０は、リミット付き畳込み時間インターリーバ１３の逆処理を行うリミット付き畳込み時間デインターリーバ２３を備える。【選択図】図１
2018037751.tif 000002
【特許請求の範囲】
【請求項１】
ＯＦＤＭ方式の送信装置であって、
伝送するデータに対し最大の時間インターリーブ長を指定インターリーブ長として制限し、セル長の値に相当するシンボル数で、ＯＦＤＭ変調のキャリアを時間軸上で分散させるよう畳込みインターリーブ処理を行うリミット付き畳込み時間インターリーバを備えることを特徴とする送信装置。
【請求項２】
前記リミット付き畳込み時間インターリーバは、
前記ＯＦＤＭ変調のキャリアの本数をＮ、前記セル長をＩ、及び前記指定インターリーブ長をＬとしたとき、キャリア毎に、
（Ｉ×（Ｎ−１））ｍｏｄ Ｌ
の長さのシンボルバッファを含むインターリーブバッファにより構成されていることを特徴とする、請求項１に記載の送信装置。
【請求項３】
前記指定インターリーブ長ＬはＯＦＤＭ変調のシンボル数で設定可能に構成され、
前記セル長Ｉは、１以上の整数とし、前記指定インターリーブ長Ｌの長さに応じて、
Ｉ× (Ｎ−１) ＞ Ｌとなるように設定可能に構成されていることを特徴とする、請求項２に記載の送信装置。
【請求項４】
ＯＦＤＭ方式の受信装置であって、
送信側で伝送するデータに対し最大の時間インターリーブ長を指定インターリーブ長として制限し、セル長の値に相当するシンボル数で、ＯＦＤＭ変調のキャリアを時間軸上で分散させるよう畳込みインターリーブ処理を施されたデータに対し、該畳込みインターリーブ処理の逆処理を行うリミット付き畳込み時間デインターリーバを備えることを特徴とする受信装置。
【請求項５】
前記リミット付き畳込み時間デインターリーバは、
前記ＯＦＤＭ変調のキャリアの本数をＮ、前記セル長をＩ、及び前記指定インターリーブ長をＬとしたとき、キャリア毎に、
（Ｉ×（Ｎ−１））ｍｏｄ Ｌ
の長さのシンボルバッファを含むインターリーブバッファにより構成されていることを特徴とする、請求項４に記載の受信装置。
【請求項６】
前記指定インターリーブ長ＬはＯＦＤＭ変調のシンボル数で設定可能に構成され、
前記セル長Ｉは、１以上の整数とし、前記指定インターリーブ長Ｌの長さに応じて、
Ｉ× (Ｎ−１) ＞ Ｌとなるように設定可能に構成されていることを特徴とする、請求項５に記載の受信装置。
【発明の詳細な説明】
【技術分野】
【０００１】
本発明は、ＯＦＤＭ（Orthogonal Frequency Division Multiplexing）方式のデータ伝送の技術に関し、特に、放送用素材の無線伝送装置（ＦＰＵ：Field Pickup Unit）をそれぞれ構成する送信装置及び受信装置に関する。
【背景技術】
【０００２】
現行規格の放送用素材の無線伝送装置（ＦＰＵ）は、ＯＦＤＭ変調のサブキャリア（以下、単に「キャリア」と称する。）単位で時間軸をずらす畳込み型の時間インターリーブ処理を使用している（例えば、非特許文献１，２参照）。
【０００３】
時間インターリーブ処理を使用することで、時間軸のバースト誤り発生時に誤り訂正できなくなる状況を避けることができ、環境変化等により伝送品質が一時的に劣化した場合でも、その時間帯の伝送データのストリームを分散させることで伝搬品質の劣化を軽減させ、誤り訂正復号を可能にしている。つまり、時間インターリーブ処理は、伝送路上のフェージング特性を向上させるために使用される。
【０００４】
例えば、図３に、現行規格の放送用素材の無線伝送装置（ＦＰＵ）にそれぞれ対応する送信装置１００及び受信装置２００の概略構成を示している。
【０００５】
送信装置１００は、誤り訂正符号化器１０１、ビット・周波数インターリーバ１０２、畳込み時間インターリーバ１０３、変調部１０４、及び周波数変換部１０５を備える。
【０００６】
誤り訂正符号化器１０１は、１８８バイトのＴＳパケットのデータストリームを入力し、内符号に畳込み符号を使用し外符号にリードソロモン（ＲＳ）符号を使用して、誤り訂正処理を施し、ビット・周波数インターリーバ１０２に出力する。尚、この内符号と外符号の連接符号間に外インターリーバ（バイト単位で畳込みを行うバイトインターリーバ）が設けられているが、その図示を省略している。
【０００７】
ビット・周波数インターリーバ１０２は、ビットインターリーブ処理、及び周波数インターリーブ処理からなる内インターリーバとして構成され、それぞれのインターリーブ処理を施したビット列（シンボル）を畳込み時間インターリーバ１０３に出力する。
【０００８】
ところで、ビットインターリーブ処理は、多値変調を用いる場合に伝送路上におけるキャリア単位の誤りがバースト誤りとなるため、その影響を軽減する目的でビット単位のインターリーブを行う処理である。尚、周波数インターリーブ処理は、ＯＦＤＭ変調の各キャリア変調方式（ＢＰＳＫ, ＤＢＰＳＫ, ＱＰＳＫ, ＤＱＰＳＫ，１６ＱＡＭ, ３２ＱＡＭ, ６４ＱＡＭ等）のキャリア位置を所定の生成多項式に基づいて疑似ランダム系列のキャリア位置となるようキャリア変調前に予め変換しておく処理である。
【０００９】
畳込み時間インターリーバ１０３は、ビット・周波数インターリーバ１０２と共に内インターリーバの１つとして構成され、セル長Ｉの値に応じて、ＯＦＤＭ変調のキャリアを時間軸上で分散させるよう畳込みインターリーブ処理を行い、変調部１０４に出力する。
【００１０】
変調部１０４は、伝送するシンボルについて所定のキャリア変調方式のキャリアに応じて直交平面へのマッピングを行い、各キャリアが互いに直交するようＯＦＤＭフレームを構成し、各キャリアを多重したＯＦＤＭ信号を生成し、周波数変換部１０５に出力する。
【００１１】
周波数変換部１０５は、変調部１０４から得られる中間周波数帯のＯＦＤＭ信号を伝送用の高周波数帯へとシフト変換して変調信号を生成し外部に出力する。
【００１２】
一方、受信装置２００は、周波数変換部２０１、復調部２０２、畳込み時間デインターリーバ２０３、ビット・周波数デインターリーバ２０４、及び誤り訂正復号器２０５を備える。
【００１３】
周波数変換部２０１は、送信装置１００から伝送される変調信号を受信して中間周波数帯のＯＦＤＭ信号に変換し復調部２０２に出力する。
【００１４】
復調部２０２は、中間周波数帯のＯＦＤＭ信号に対しＯＦＤＭ復調処理を施し畳込み時間デインターリーバ２０３に出力する。
【００１５】
畳込み時間デインターリーバ２０３は、送信側の畳込み時間インターリーブ処理に対する逆処理を施しビット・周波数デインターリーバ２０４に出力する。
【００１６】
ビット・周波数デインターリーバ２０４は、畳込み時間デインターリーバ２０３の処理後に、送信側の時間インターリーブ処理、及び時間インターリーブ処理の逆処理を施し、誤り訂正復号器２０５に出力する。
【００１７】
誤り訂正復号器２０５は、送信側の誤り訂正符号化器１０１による連接符号の復号処理を施し、１８８バイトのＴＳパケットのデータストリームを復元する。
【００１８】
このように、現行規格の放送用素材の無線伝送装置（ＦＰＵ）に基づく送信装置１００は、フェージング特性を向上させるため、畳込み時間インターリーバ１０３により、ＯＦＤＭ信号のキャリア変調前に、キャリアを時間軸上で分散させている。
【００１９】
特に、現行規格の放送用素材の無線伝送装置（ＦＰＵ）では、畳込み型の時間インターリーブ処理を使用しており、実装上では、キャリアごとに異なる長さのシンボルバッファを用いることで、各ＯＦＤＭ変調のキャリアとして異なる時間となるように配置する。
【００２０】
より具体的に、図４に、畳込み時間インターリーバ１０３の実装上の概略構成を示している。畳込み時間インターリーバ１０３は、キャリア本数Ｎに対し、１キャリアごとに指定するセル長Ｉずつ時間軸をずらす方式であり、キャリアごとに異なる長さのシンボルバッファを含むインターリーブバッファ１０３１により構成される。尚、インターリーブバッファ１０３１内の各シンボルバッファのセル長Ｉは小数点以下切り上げとして設定される。
【００２１】
この畳込み時間インターリーバ１０３の構成では、長い時間のインターリーブ長（遅延量）を容易に実現できる利点があり、受信装置２００側ではキャリアの逆順にキャリア毎のバッファ処理を行うだけで復元できることから、処理時間とインターリーブバッファのバッファサイズの見積りも容易である。
【００２２】
ただし、この畳込み時間インターリーバ１０３の構成は、長い時間のインターリーブ長（遅延量）を実現することを主目的としており、短い時間のインターリーブ長ではほとんどキャリアが分散されないという問題や、きめ細かい時間のインターリーブ長の差異ではキャリアの分散にほとんど差異が生じないという問題がある。
【００２３】
一方、近年では、短い時間でも問題なく、時間フレームに同期する形で、時間軸と周波数軸に対して優れたインターリーブ処理を行う方式として、時間軸と周波数軸を２次元で逆転して出力するインターリーブ処理（本願明細書中、「２次元時間インターリーブ処理」と称する。）が知られている（例えば、非特許文献３参照）。
【先行技術文献】
【非特許文献】
【００２４】
【非特許文献１】“テレビジョン放送番組素材伝送用可搬形ＯＦＤＭ方式デジタル無線伝送システム  ARIB STD-B33  1.2版”、［online］、平成23年3月28日改定、一般社団法人  電波産業会（ARIB）、［平成28年7月12日検索］、インターネット〈URL：http://www.arib.or.jp/english/html/overview/doc/2-STD-B33v1_2.pdf〉
【非特許文献２】“1.2GHz/2.3GHz帯テレビジョン放送番組素材伝送用可搬形OFDM方式デジタル無線伝送システム  ARIB STD-B57  2.0版”、［online］、平成26年3月18日改定、一般社団法人  電波産業会（ARIB）、［平成28年7月12日検索］、インターネット〈URL：http://www.arib.or.jp/english/html/overview/doc/2-STD-B57v2_0.pdf〉
【非特許文献３】Digital Video Broadcasting (DVB-T2), “Frame structure channel coding and modulation for a second generation digital terrestrial television broadcasting system (DVB-T2)” ，［online］，European Standard ETSI EN 302 755 V1.4.1(2015-07)、［平成28年7月12日検索］、インターネット<URL: http://www.etsi.org/deliver/etsi_en/302700_302799/302755/01.04.01_60/en_302755v010401p.pdf>
【発明の概要】
【発明が解決しようとする課題】
【００２５】
上述したように、現行規格の放送用素材の無線伝送装置（ＦＰＵ）では、畳込み型の時間インターリーブ処理を使用しており、長い時間のインターリーブ長（遅延量）を容易に実現できる利点や、受信側ではキャリアの逆順にキャリア毎のバッファ処理を行うだけで復元できることから、処理時間とインターリーブバッファのバッファサイズの見積りも容易になるという利点がある。
【００２６】
一方で、当該現行規格の放送用素材の無線伝送装置（ＦＰＵ）における畳込み型の時間インターリーブ処理は、長い時間のインターリーブ長（遅延量）を実現することに主眼を置いており、短い時間のインターリーブ長ではほとんどキャリアが分散されないという問題がある。
【００２７】
特に、低遅延の伝送が必要な場合や、ＴＤＤ（時分割複信）による短時間で送受信を切り替えるような信号伝送の場合、短くきめ細かい時間インターリーブ長を設定し効果的に機能させる必要がある。このような場合、当該現行規格の放送用素材の無線伝送装置（ＦＰＵ）における畳込み型の時間インターリーブ処理では、短い時間のインターリーブ処理を設定しようとしても（セル長Ｉ≦１）、隣り合う複数キャリアごとに１シンボルずつ時間軸をずらすことになるため、この時間インターリーブ処理のみでは十分に分散することができない。
【００２８】
そして、上述したように、図４に示す畳込み時間インターリーバ１０３におけるインターリーブバッファ１０３１内の各シンボルバッファのセル長Ｉは小数点以下切り上げとして設定されるため、短い時間のインターリーブ長の場合、いずれのシンボルもほとんどずれず分散されにくいという問題もある。このため、当該現行規格の放送用素材の無線伝送装置（ＦＰＵ）に基づく送信装置１００では、周波数インターリーブ処理を併用させて分散させるように構成されているが、時間インターリーブ処理により短い時間のインターリーブ長にも対応できるような処理とすることが、より望ましい。
【００２９】
そこで、非特許文献３に開示されるように、短い時間でも問題なく、時間フレームに同期する形で、時間軸と周波数軸に対して優れたインターリーブ処理を行う方式として、時間軸と周波数軸を２次元で逆転して出力する２次元時間インターリーブ処理を、当該現行規格の放送用素材の無線伝送装置（ＦＰＵ）に対し適用することが考えられる。
【００３０】
しかしながら、この２次元時間インターリーブ処理は、送信側・受信側で２次元のインターリーブ・デインターリーブ処理をする必要が生じ、既存の畳込み時間インターリーバ１０３の上述した利点が失われ、処理時間とインターリーブバッファのバッファサイズが大きくなるという問題がある。
【００３１】
従って、現行規格の放送用素材の無線伝送装置（ＦＰＵ）に対し、適用する時間インターリーブ処理に関して更なる工夫が必要となる。
【００３２】
本発明の目的は、上述の問題に鑑みて、処理時間とインターリーブバッファのバッファサイズを増大させることなく、短い時間から長い時間までインターリーブ長を設定可能とする時間インターリーブ処理を可能とするＯＦＤＭ伝送方式の送信装置及び受信装置を提供することにある。
【課題を解決するための手段】
【００３３】
本発明の送信装置は、ＯＦＤＭ方式の送信装置であって、伝送するデータに対し最大の時間インターリーブ長を指定インターリーブ長として制限し、セル長の値に相当するシンボル数で、ＯＦＤＭ変調のキャリアを時間軸上で分散させるよう畳込みインターリーブ処理を行うリミット付き畳込み時間インターリーバを備えることを特徴とする。
【００３４】
また、本発明の送信装置において、前記リミット付き畳込み時間インターリーバは、前記ＯＦＤＭ変調のキャリアの本数をＮ、前記セル長をＩ、及び前記指定インターリーブ長をＬとしたとき、キャリア毎に、（Ｉ×（Ｎ−１））ｍｏｄ Ｌの長さのシンボルバッファを含むインターリーブバッファにより構成されていることを特徴とする。
【００３５】
また、本発明の送信装置において、前記指定インターリーブ長ＬはＯＦＤＭ変調のシンボル数で設定可能に構成され、前記セル長Ｉは、１以上の整数とし、前記指定インターリーブ長Ｌの長さに応じて、Ｉ× (Ｎ−１) ＞ Ｌとなるように設定可能に構成されていることを特徴とする。
【００３６】
更に、本発明の受信装置は、ＯＦＤＭ方式の受信装置であって、送信側で伝送するデータに対し最大の時間インターリーブ長を指定インターリーブ長として制限し、セル長の値に相当するシンボル数で、ＯＦＤＭ変調のキャリアを時間軸上で分散させるよう畳込みインターリーブ処理を施されたデータに対し、該畳込みインターリーブ処理の逆処理を行うリミット付き畳込み時間デインターリーバを備えることを特徴とする。
【００３７】
また、本発明の受信装置において、前記リミット付き畳込み時間デインターリーバは、前記ＯＦＤＭ変調のキャリアの本数をＮ、前記セル長をＩ、及び前記指定インターリーブ長をＬとしたとき、キャリア毎に、（Ｉ×（Ｎ−１））ｍｏｄ Ｌの長さのシンボルバッファを含むインターリーブバッファにより構成されていることを特徴とする。
【００３８】
また、本発明の受信装置において、前記指定インターリーブ長ＬはＯＦＤＭ変調のシンボル数で設定可能に構成され、前記セル長Ｉは、１以上の整数とし、前記指定インターリーブ長Ｌの長さに応じて、Ｉ× (Ｎ−１) ＞ Ｌとなるように設定可能に構成されていることを特徴とする。
【発明の効果】
【００３９】
本発明によれば、処理時間とインターリーブバッファのバッファサイズを増大させることなく、短い時間から長い時間までインターリーブ長を設定可能とする時間インターリーブ処理が実現される。
【図面の簡単な説明】
【００４０】
【図１】本発明による一実施形態の送信装置及び受信装置の概略構成を示すブロック図である。
【図２】本発明に係るリミット付き畳込み時間インターリーバの概略構成を示す図である。
【図３】従来方式の現行規格の放送用素材の無線伝送装置（ＦＰＵ）に基づく送信装置及び受信装置の概略構成を示すブロック図である。
【図４】従来方式の畳込み時間インターリーバの概略構成を示す図である。
【発明を実施するための形態】
【００４１】
以下、図面を参照して、本発明による一実施形態の送信装置及び受信装置について、詳細に説明する。
【００４２】
図１は、本発明による一実施形態の送信装置１０及び受信装置２０の概略構成を示すブロック図である。
【００４３】
（送信装置）
図１に示す送信装置１０は、誤り訂正符号化器１１、ビット・周波数インターリーバ１２、リミット付き畳込み時間インターリーバ１３、変調部１４、及び周波数変換部１５を備える。
【００４４】
誤り訂正符号化器１１は、１８８バイトのＴＳパケットのデータストリームを入力し、内符号に畳込み符号を使用し外符号にリードソロモン（ＲＳ）符号を使用して、誤り訂正処理を施し、ビット・周波数インターリーバ１２に出力する。尚、この内符号と外符号の連接符号間に外インターリーバ（バイト単位で畳込みを行うバイトインターリーバ）が設けられているが、その図示を省略している。
【００４５】
尚、内符号として畳込み符号とする代わりに、ＬＤＰＣ符号やターボ符号とすることができる。また、外符号としてリードソロモン（ＲＳ）符号とする代わりに、ＢＣＨ符号とすることができる。更に、外インターリーバの構成は、現行規格の放送用素材の無線伝送装置（ＦＰＵ）に基づくものとすることができるが、これに限定する必要はない。
【００４６】
ビット・周波数インターリーバ１２は、現行規格の放送用素材の無線伝送装置（ＦＰＵ）と同様に、ビットインターリーブ処理、及び周波数インターリーブ処理からなる内インターリーバとして構成され、それぞれのインターリーブ処理を施したビット列（シンボル）をリミット付き畳込み時間インターリーバ１３に出力する。
【００４７】
リミット付き畳込み時間インターリーバ１３は、ビット・周波数インターリーバ１２と共に内インターリーバの１つとして構成され、最大の時間インターリーブ長を制限しセル長Ｉの値に相当するシンボル数で、ＯＦＤＭ変調のキャリアを時間軸上で分散させるよう畳込みインターリーブ処理を行い、変調部１４に出力する。リミット付き畳込み時間インターリーバ１３の処理の詳細は後述する。
【００４８】
変調部１４は、伝送するシンボルについて所定のキャリア変調方式のキャリアに応じて直交平面へのマッピングを行い、各キャリアが互いに直交するようＯＦＤＭフレームを構成し、各キャリアを多重したＯＦＤＭ信号を生成し、周波数変換部１５に出力する。
【００４９】
周波数変換部１５は、変調部１４から得られる中間周波数帯のＯＦＤＭ信号を伝送用の高周波数帯へとシフト変換して変調信号を生成し外部に出力する。
【００５０】
即ち、本発明に係る送信装置１０は、図３に示す現行規格の放送用素材の無線伝送装置（ＦＰＵ）に対応する送信装置１００と比較して、畳込み時間インターリーバ１０３を設ける代わりに、リミット付き畳込み時間インターリーバ１３を設ける構成としている点で相違しており、その他の構成要素は同様とすることができる。
【００５１】
（受信装置）
一方、図１に示す受信装置２０は、周波数変換部２１、復調部２２、リミット付き畳込み時間デインターリーバ２３、ビット・周波数デインターリーバ２４、及び誤り訂正復号器２５を備える。
【００５２】
周波数変換部２１は、送信装置１０から伝送される変調信号を受信して中間周波数帯のＯＦＤＭ信号に変換し復調部２２に出力する。
【００５３】
復調部２２は、中間周波数帯のＯＦＤＭ信号に対しＯＦＤＭ復調処理を施しリミット付き畳込み時間デインターリーバ２３に出力する。
【００５４】
リミット付き畳込み時間デインターリーバ２３は、送信側のリミット付き畳込み時間インターリーブ処理に対する逆処理を施しビット・周波数デインターリーバ２４に出力する。
【００５５】
ビット・周波数デインターリーバ２４は、リミット付き畳込み時間デインターリーバ２３の処理後に、送信側の時間インターリーブ処理、及び時間インターリーブ処理の逆処理を施し、誤り訂正復号器２５に出力する。
【００５６】
誤り訂正復号器２５は、送信側の誤り訂正符号化器１１による連接符号の復号処理を施し、１８８バイトのＴＳパケットのデータストリームを復元する。
【００５７】
即ち、本発明に係る受信装置２０は、図３に示す現行規格の放送用素材の無線伝送装置（ＦＰＵ）に対応する受信装置２００と比較して、畳込み時間デインターリーバ２３を設ける代わりに、リミット付き畳込み時間デインターリーバ２３を設ける構成としている点で相違しており、その他の構成要素は同様とすることができる。
【００５８】
（リミット付き畳込み時間インターリーバ）
次に、図２を参照して、本発明に係るリミット付き畳込み時間インターリーバ１３について詳細に説明する。図２は、本発明に係るリミット付き畳込み時間インターリーバ１３の概略構成を示す図である。
【００５９】
リミット付き畳込み時間インターリーバ１３は、ビット・周波数インターリーバ１２と共に内インターリーバの１つとして構成され、最大の時間インターリーブ長を制限しセル長Ｉの値に相当するシンボル数で、ＯＦＤＭ変調のキャリアを時間軸上で分散させるよう畳込みインターリーブ処理を行う。
【００６０】
リミット付き畳込み時間インターリーバ１３の実装上の概略構成としては、キャリア毎に、（Ｉ×（Ｎ−１））ｍｏｄ Ｌの長さのシンボルバッファを含むインターリーブバッファ１３１により構成される。ここで、Ｎは、キャリア本数、Ｉはセル長、Ｌは指定インターリーブ長である。
【００６１】
即ち、リミット付き畳込み時間インターリーバ１３は、インターリーブバッファ１３１に、キャリア番号順に、（Ｉ×（Ｎ−１））ｍｏｄ Ｌの長さのシンボルバッファへと入力信号が入力され、先頭のキャリア番号のシンボルの出力時刻ｔ０から指定インターリーブ長Ｌの遅延となるキャリア番号のシンボルの出力時刻ｔＬまで、セル長Ｉの値に相当するシンボル数で遅延して出力する処理を繰り返すようになっている。
【００６２】
そして、リミット付き畳込み時間インターリーバ１３のハードウェア構成としては、図４に示す畳込み時間インターリーバ１０３におけるインターリーブバッファ１０３１と同様にシンボルバッファ列で構成されるため、長い時間のインターリーブ長（遅延量）を容易に実現できる利点や、受信側ではキャリアの逆順にキャリア毎のバッファ処理を行うだけで復元できることから、処理時間とインターリーブバッファ１３１のバッファサイズの見積りも容易になるという利点を損なっていない。
【００６３】
一方で、リミット付き畳込み時間インターリーバ１３は、指定インターリーブ長Ｌをリミットとして、ＯＦＤＭ変調のＮ本のキャリアの信号をセル長Ｉの値に相当するシンボル数で、時間軸上で分散させるようにしている。
【００６４】
ここで、セル長Ｉは１以上の整数で設定する。指定インターリーブ長Ｌは、ＯＦＤＭ変調のシンボル数で設定する。
【００６５】
また、指定インターリーブ長Ｌの長さに応じて、Ｉ× (Ｎ−１) ＞ Ｌとなるようにセル長Ｉを設定する。
【００６６】
このような構成のリミット付き畳込み時間インターリーバ１３とすることで、従来方式とは異なり、周波数軸で隣接するキャリアは必ずセル長Ｉシンボルずつずらすことになる。この場合、低遅延が要求される短い時間のインターリーブであっても隣接するキャリアで時間軸が分散されるため、周波数軸のインターリーブを適用しなくても一定の分散を見込むことができる。これは、受信ダイバーシティやマルチアンテナ（ＭＩＭＯ：Multiple-Input and Multiple-Output）伝送など、時間インターリーブ長を短くしても大きな伝送改善効果が得られる伝送において、有効になる。
【００６７】
また、リミット付き畳込み時間インターリーバ１３では、時間インターリーブ長が長い場合も、指定する時間インターリーブ長のＯＦＤＭシンボル数であるＬで除算した余りをシンボルバッファ長とすることから、確実にＬを超えない態様で時間軸上の分散が可能となる。
【００６８】
また、リミット付き畳込み時間インターリーバ１３では、Ｌを時間フレーム長とすればＴＤＤによる伝送のように、送受信時のＯＦＤＭシンボル数を明確に規定できるため、時間インターリーブ長と時間フレーム長を合わせ込むことも容易になる。
【００６９】
尚、リミット付き畳込み時間デインターリーバ２３の構成は、リミット付き畳込み時間インターリーバ１３と同様に構成することができる。
【００７０】
従って、リミット付き畳込み時間インターリーバ１３及びリミット付き畳込み時間デインターリーバ２３では、キャリアごとに送受信するキャリア本数の合計で同一となるバッファ処理、及びインターリーブバッファ１３１のバッファサイズとすればよいため、非特許文献３に開示されるような２次元時間インターリーブよりも処理時間（或いは処理負担）とインターリーブバッファのバッファサイズを削減することができる。
【００７１】
以上、特定の実施形態の例を挙げて本発明を説明したが、本発明は前述の実施形態の例に限定されるものではなく、その技術思想を逸脱しない範囲で種々変形可能である。従って、本発明に係る送信装置及び受信装置は、上述した実施形態の例に限定されるものではなく、特許請求の範囲の記載によってのみ制限される。
【産業上の利用可能性】
【００７２】
本発明によれば、処理時間とインターリーブバッファのバッファサイズを増大させることなく、短い時間から長い時間までインターリーブ長を設定可能とする時間インターリーブ処理が実現されるので、ＯＦＤＭ伝送方式の送信装置及び受信装置の用途に有用である。
【符号の説明】
【００７３】
１０  送信装置
１１  誤り訂正符号化器
１２  ビット・周波数インターリーバ
１３  リミット付き畳込み時間インターリーバ
１４  変調部
１５  周波数変換部
２０  受信装置
２１  周波数変換部
２２  復調部
２３  リミット付き畳込み時間デインターリーバ
２４  ビット・周波数デインターリーバ
２５  誤り訂正復号器
１００  送信装置
１０１  誤り訂正符号化器
１０２  ビット・周波数インターリーバ
１０３  畳込み時間インターリーバ
１０４  変調部
１０５  周波数変換部
１３１  インターリーブバッファ
２００  受信装置
２０１  周波数変換部
２０２  復調部
２０３  畳込み時間デインターリーバ
２０４  ビット・周波数デインターリーバ
２０５  誤り訂正復号器
１０３１  インターリーブバッファ
【図１】
2018037751.tif 000003
【図２】
2018037751.tif 000004
【図３】
2018037751.tif 000005
【図４】
2018037751.tif 000006